(57)【要約】      （修正有）【課題】尿とりパッドとしてトイレットペーパーを下着用パンツに交換可能に装着できるトイレットペーパー装着用補助シート及びトイレットペーパー装着用補助シート付きパンツを提供する。【解決手段】液体透過性シート材からなる本体部分２と本体部分２の内側にトイレットペーパー３を交換可能に保持するためのトイレットペーパー保持手段４を備えている。本体部分２は下着用パンツの内側に装着された際に下着用パンツの上下方向が長くなる縦長に形成する。本体部分２の上端部と下端部に下着用パンツの内側に止め付けるための面テープ７を取り付ける。トイレットペーパー保持手段４は伸縮自在なゴム製ネットによって形成し、トイレットペーパー３を出し入れ可能なポケット状に形成する。【選択図】図１
0003203830.tif 000002
【実用新案登録請求の範囲】
【請求項１】
トイレットペーパーを尿とりパッドとして下着用パンツに交換可能に装着するためのトイレットペーパー装着用補助シートであって、前記下着用パンツの上下方向に長い液体不透過シート材からなる本体部分と、当該本体部分の内側に取り付けられ、前記トイレットペーパーを本体部分の内側に交換可能に保持するためのトイレットペーパー保持手段と、前記本体部分の上方部および／または下方部に取り付けられ、前記本体部分を前記下着用パンツに取り付けるための取付手段を備えていることを特徴とするトイレットペーパー装着用補助シート。
【請求項２】
前記トイレットペーパー保持手段は、液体透過シート材によって前記トイレットペーパーを出し入れ可能なポケット状に形成されていることを特徴とする請求項１記載のトイレットペーパー装着用補助シート。
【請求項３】
前記本体部分は、前記下着用パンツに取付手段によって着脱自在に取り付けられていることを特徴とするトイレットペーパー装着用補助シート。
【請求項４】
トイレットペーパーを尿とりパッドとして下着用パンツに交換可能に装着するためのトイレットペーパー装着用補助シートを備えたトイレットペーパー装着用補助シート付き下着用パンツであって、請求項１〜４のいずれかひとつに記載のトイレットペーパー装着用補助シートを備えていることを特徴とするトイレットペーパー装着用補助シート付き下着用パンツ。
【考案の詳細な説明】
【技術分野】
【０００１】
本考案は、「ちょい漏れ」といった極少量の尿漏れを処理するための尿とりパッドとして、トイレットペーパーを下着用パンツに交換可能に装着するためのトイレットペーパー装着用補助シート及びトイレットペーパー装着用補助シートを備えたトイレットペーパー装着用補助シート付き下着用パンツに関するものである。
【背景技術】
【０００２】
従来から老人等の成人男性の失禁対策が考えられてきているが、高齢化社会が進む中で失禁に関しての悩みを持つ男性が増えてきており、様々な悩みに沿ったよりキメ細かな対応策が図られてきている。
【０００３】
そんな中で、軽度〜中度の失禁対策として一般的なのは、失禁パンツ等のパンツ形式のもの、尿とりパッド（尿パッド、プロテクター）をパンツに装着して用いるものである。
【０００４】
尿とりパッド（尿パッド、プロテクター）によるものとしては、例えば、特許文献１〜３に開示されるものがある。
【０００５】
特許文献１には、通水性を有する表面シートと非通水性を有する裏面シートとこれらの間に挿入された吸水部材からなる男性用尿パッドを、粘着テープでパンツに直接貼り付けたり、パンツまたは褌に粘着テープで貼り付けられたポケットに収納して用いるものが記載されている。
【０００６】
また、特許文献２には、パンツ本体の内面に尿とりパッド用の保持部を設け、そこに尿とりパッドを装着して用いるものが記載されている。
【０００７】
また、特許文献３には、内側液体透過可能ケーシングシートと外側液体不透過ケーシングシートとこれらの間の吸収体を有するプロテクターを粘着性のストリングでパンツに取り付けて用いるものが記載されている。
【先行技術文献】
【特許文献】
【０００８】
【特許文献１】実用新案登録第３１４６０４９号公報
【特許文献２】特開２０１１−２３６５２７号公報
【特許文献３】特許第５４９２７８０号公報
【考案の概要】
【考案が解決しようとする課題】
【０００９】
多くの男性は、プライドが高いうえに煩わしさや費用等も相まって、「ちょい漏れ」程度の極軽度の失禁では失禁パンツ等を装着することに抵抗感を持っているため装着しようとせず、薬やサプリメントで解決を図っている。しかし、薬やサプリメントを主体とした解決方法では費用が嵩むうえ副作用の心配もあり、長期的な解決は図れない。
【００１０】
失禁パンツや上記特許文献１〜３に示すような尿とりパッドの装着によるものは種々あるが、いずれも軽中度〜重度の失禁に対する本格的なものであるため「ちょい漏れ」程度の極軽度の失禁には向いておらず、上述の通り、装着に対し抵抗感を抱いてしまう。また、装着したとしても、「ちょい漏れ」程度の失禁でいちいち着け替えると費用が嵩んでしまい、また、数回の「ちょい漏れ」があっても我慢して着け替えないでいるのは衛生面や不快感からして好ましくない。
【００１１】
男性の失禁に対しては、軽中度〜重度の本格的な失禁に対しては対策が講じられているものの、「ちょい漏れ」といった極軽度の失禁に対しては安価で簡便な対策がない。
【００１２】
本考案は、このような課題の解決を図ったものであり、主として男性の「ちょい漏れ」といった極少量の尿漏れを簡便かつ安価に処理するために、トイレットペーパーを尿とりパッドとして下着用パンツに交換可能に装着するためのトイレットペーパー装着用補助シート及びトイレットペーパー装着用補助シートを備えたトイレットペーパー装着用補助シート付き下着用パンツを提供することを目的とするものである。
【課題を解決するための手段】
【００１３】
本考案は、トイレットペーパーを下着用パンツに尿とりパッドとして交換可能に装着して、「ちょい漏れ」といった極少量の尿漏れを簡単に処理できるようにしたトイレットペーパー装着用補助シートおよびトイレットペーパー装着用補助シート付き下着用パンツの考案であり、下着用パンツに取付手段によって取り付けられている液体不透過シート材からなる本体部分と、当該本体部分の内側に尿とりパットとして装着されているトイレットペーパーと、当該トイレットペーパーを交換可能に保持しているトイレットペーパー保持手段を備えていることを特徴とするものである。
【００１４】
本考案のトイレットペーパー装着用補助シート(以下「補助シート」)は、主に男性の「ちょい漏れ」といった極少量の尿漏れを対象にしているが、これに限定されるものではない。
【００１５】
下着用パンツは、特に男性の場合、下着用のトランクス、ブリーフ、褌などである。液体不透過シート材からなる本体部分は、下着用パンツの内側に装着された際に下着用パンツの上下方向が長くなる縦長に形成してあればよい。また、尿が透過（通水）せず破れ難い柔軟なシート材であればよく、例えば、ビニールシート、傘の傘布（カバー）、単層または積層した布の外面に防水処理や撥水処理、或いは樹脂コーティング処理などを施したものであればよい。
【００１６】
また、本体部分の内側にはトイレットペーパーを尿とりパッドとして交換可能に保持するためのトイレットペーパー保持手段を備え、当該トイレットペーパー保持手段は、トイレットペーパーを交換可能に保持できる構造であれば特に限定されない。
【００１７】
トイレットペーパー保持手段としては、例えば、伸縮自在な液体透過シート材を本体部分の内側に周縁部をその一部を除いて止め付けることによりポケット状に形成し、止め付けられていない部分(開口部)からトイレットペーパーを自由に出し入れできるような構造であればよい。
【００１８】
液体透過シート材には伸縮自在なゴム製のネット等が好ましく、本体部分のの内側に粘着テープ等で接着するか、或は縫製用糸で縫い付ける等の方法で止め付けてあればよい。また、面ファスナー(面テープ)によって着脱自在に止め付けてあれば、液体透過シート材を本体部分より剥がし、本体不部分と液体透過シート材を定期的にクリーニングすることにより衛生的に使用することができる。
【００１９】
本体部分にはトイレットペーパー保持手段の他に、本体部分、すなわち補助シートを下着用パンツの内側に止め付けるための取付手段を備えている。取付手段は、補助シートを下着用パンツの内側に着脱自在に止め付けることができる手段であれば特に限定されない。例えば、面ファスナー(面テープ)、或いはネームプレートを上着のポケットに挟んで取り付ける際に用いられるクリップと同等のもので前記下着用パンツ上端のゴムの部分に挟むことができるクリップ、補助シートの一端を挿入し固定することのできるスリットを設けたバンドなどである。
【００２０】
以上の構成により、本考案の補助シートを用いれば、繰り返し起こる男性の「ちょい漏れ」といった極少量の尿漏れをトイレに備え付けられたトイレットペーパーを利用することにより簡便に処理し続けることができる。また、トイレットペーパーを尿とりパッドとして利用すれば、「チョイ漏れ」の処理を経済的負担の少ない安価なものにすることも可能となる。
【００２１】
トイレットペーパーは、通常トイレに備え付けられているトイレットペーパーであり、トイレットペーパーを適当な大きさに折り重ねたものである。なお、肌に優しく尿を吸い取ることができる柔軟なパッド（シート、シート状のものを含む）であれば、トイレットペーパーに限定されるものではない。
【００２２】
なお、不透過シート材からなる本体部分は下着用パンツの内側に縫製用糸によって離脱しないように止め付けてしまってもよい(図４参照)。
【００２３】
また、下着用パンツの一定範囲(補助シートを取り付ける部分)をビニールシートや傘の傘布（カバー）などの防水性シートで形成するか、あるいは単層または積層した布の外面に防水処理や撥水処理、或いは樹脂コーティング処理などを施して補助シートの本体部分としてもよい。
【００２４】
また、不透過シート材からなる本体部分の両縁端部に尿漏れ防止枠を設けることにより、装着者が歩いたり走ったりしゃがんだりした際に、トイレットペーパーに吸収された尿が不透過シート材の両側から外に漏れないようにすることができる。
【００２５】
尿漏れ防止枠は、ゴムや軟質性樹脂などからなる棒状部材を芯材にして不透過シート材の縁端部を巻き付け、接着材や縫製用糸などによって止め付けことにより簡単に形成することができる。
【考案の効果】
【００２６】
本考案の補助シートを用いれば、トイレットペーパーを尿とりパッドとして下着用パンツへの装着が容易となり、男性の「ちょい漏れ」といった極少量の尿漏れを簡便かつ安価に処理できる。
【００２７】
また、トイレットペーパーは、トイレに備え付けられているトイレットペーパーを適当な大きさ、厚さに折畳んで使用することができるので、交換・処理がきわめて簡単であり、またきわめて経済的である
【図面の簡単な説明】
【００２８】
【図１】本考案のトイレットペーパー装着用補助シートの一実施形態を図示したものであり、図1(a)は平面図、図1(b)は図1(a)におけるイ-イ線断面図である。
【図２】図2(a),(b),(c)は、本考案のトイレットペーパー装着用補助シートの変形例を図示したものであり、図1(a)におけるイ-イ線断面図である。
【図３】下着用パンツに装着された本考案のトイレットペーパー装着用補助シートを図示したものであり、図3(a)は下着用パンツの正面図、図3(b)は図3(a)におけるロ-ロ線断面図である。
【図４】本考案のトイレットペーパー装着用補助シート付き下着用パンツを図示したものであり、図4(a)は下着用パンツの正面図、図4(b)は図4(a)におけるロ-ロ線断面図、図4(c)は図4(a)におけるハ-ハ線断面図である。
【考案を実施するための形態】
【００２９】
以下、図面に基づいて、本考案の実施の形態を詳細に説明する。
【００３０】
図1(a),(b)は、本考案の一実施形態を図示したものであり、トイレットペーパー装着用補助シート(以下「補助シート」)１は、ビニールシート等の液体不透過シート材からなる本体部分２と当該本体部分２の内側に尿とりパッドとして交換可能に設置されているトイレットペーパー３と当該トイレットペーパー３を交換可能に保持しているトイレットペーパー保持手段(以下「保持手段」)４を備えている。
【００３１】
本体部分２は、下着用パンツ５の内側に装着された際に下着用パンツ５の上下方向が長くなる縦長に形成され、当該本体部分２の内側に保持手段４を備えている。また、本体部分２の左右縁端部にトイレットペーパー３に吸収された尿が本体部分２の外に漏れないようにするための尿漏れ防止用枠6,6を備え、さらに本体部分２の上端部と下端部に下着用パンツ５の内側に本体部分２を止め付けるための取付け手段(以下「面テープ」)７が取り付けられている。
【００３２】
保持手段４は、本体部分２と同様に下着用パンツ５の内側に装着された際に下着用パンツ５の上下方向が長くなる縦長に形成され、また、伸縮自在なゴム製ネット等の液体透過シート材を本体部分２の内側に周縁をその一部を除いて止め付けることによりポケット状形成され、また止め付けられていない部分(以下「開口部」)4aからトイレットペーパー３を自由に出し入れできるように形成されている。
【００３３】
保持手段４としての伸縮自在なゴム製ネットは、本体部分２の内側に接着テープで接着するか、或は縫製用糸で縫い付ける等の方法によって止め付けられている。また、着脱可能なように面テープによって止め付けられていてもよい。また、開口部4aは保持手段４の長辺部にやや広めに設けてあれば、トイレットペーパー３の出し入れが容易になる。
【００３４】
本体部分２の左右尿漏れ防止用枠6,6は、ゴムや軟質性樹脂などからなる棒状部材からなる芯材6aに本体部分２の縁端部を巻き付け、接着材や縫製用糸などによって止め付けことにより形成されている。
【００３５】
なお、尿漏れ防止用枠6,6は、図2(a)〜(c)に図示するように本体部分２の左右縁端部を内側にロール状に折り曲げたり、或いは単に折り曲げても形成することができる。また、図2(c)に図示するように補助シート１の曲率を大きくしてやや深めに形成してあれば、トイレットペーパー３を厚く設置することにより多めの尿もれにも対応することができる。
【００３６】
トイレットペーパー３は、トイレットペーパーを適当な大きさに折り適当な厚さに重ねたもので、ポケット状の保持手段４内に開口部4aから交換可能に挿入されている。そして、使用後は、下着用パンツ５から補助シート１を外し、尿が浸み込んだトイレットペーパー３を処分するとともに新しいトイレットペーパー３に交換し、下着用パンツ５に装着して再使用すればよい。また、補助シート１は時々クリーニングするのが衛生上好ましい。
【００３７】
図4(a),(b),(c)は、補助シート１が下着用パンツ５と一体に形成された補助シート付き下着用パンツを図示したものである。
【００３８】
不透過シート材からなる本体部分２は、下着用パンツ５の内側に縫製用糸または接着テープ等によって離脱しないように止め付けられ、また、当該本体部分２の内側にトイレットペーパー３を交換可能に保持している保持手段４がポケット状に形成されている。
【００３９】
保持手段４は、本体部分２と同様に下着用パンツ５の内側に装着された際に下着用パンツ５の上下方向が長くなる縦長に形成され、また、伸縮自在なゴム製ネット(液体透過シート材)を本体部分２の内側に周縁をその一部を除いて止め付けることによりポケット状形成されている。
【００４０】
また、止め付けられていない部分(以下「開口部」)4aからトイレットペーパー３を自由に出し入れできるように形成されている。伸縮自在なゴム製ネットは本体部分２の内側に接着テープで接着するか、或は縫製用糸で縫い付ける等の方法によって止め付けられている。また、着脱自在な面テープ７によって止め付けられていてもよい。
【００４１】
なお、下着用パンツ５の一定範囲(補助シートを取り付ける部分)をビニールシートや傘の傘布（カバー）などの防水性シートで形成するか、あるいは単層または積層した布の外面に防水処理や撥水処理、或いは樹脂コーティング処理などを施して補助シート１の本体部分２としてもよい。
【００４２】
以上の構成により、本考案の補助シート１は簡易な構造で簡単に使用でき、また、男性の「ちょい漏れ」といった極少量の尿漏れを簡便かつ安価に処理でき、下着用パンツやズボンに染みができるのを手軽に防ぐことができる。
【産業上の利用可能性】
【００４３】
本考案は、トイレに備え付けのトイレットペーパーを下着用パンツに尿とりパッドとして交換可能に装着して、「ちょい漏れ」といった極少量の尿漏れを簡単に処理することができる。
【符号の説明】
【００４４】
１…補助シート(尿とりパッド装着用補助シート)
２…本体部分(不透過シート材)
３…トイレットペーパー
４…保持手段(透過シート材)
５…下着用パンツ
６…尿漏れ防止用枠
6a…芯材
７…面テープ(取付け手段)
【図１】
0003203830.tif 000003
【図２】
0003203830.tif 000004
【図３】
0003203830.tif 000005
【図４】
0003203830.tif 000006
【手続補正書】
【提出日】平成28年2月10日(2016.2.10)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーを尿とりパッドとして下着用パンツに交換可能に装着するためのトイレットペーパー装着用補助シートであって、前記下着用パンツの上下方向に長い液体不透過シート材からなる本体部分と、当該本体部分の内側に取り付けられ、前記トイレットペーパーを本体部分の内側に交換可能に保持するためのトイレットペーパー保持手段と、前記本体部分の上方部および／または下方部に取り付けられ、前記本体部分を前記下着用パンツに取り付けるための取付手段を備えていることを特徴とするトイレットペーパー装着用補助シート。
【請求項２】
前記トイレットペーパー保持手段は、液体透過シート材によって前記トイレットペーパーを出し入れ可能なポケット状に形成されていることを特徴とする請求項１記載のトイレットペーパー装着用補助シート。
【請求項３】
前記本体部分は、前記下着用パンツに取付手段によって着脱自在に取り付けられていることを特徴とする請求項１または２に記載のトイレットペーパー装着用補助シート。
【請求項４】
トイレットペーパーを尿とりパッドとして下着用パンツに交換可能に装着するためのトイレットペーパー装着用補助シートを備えたトイレットペーパー装着用補助シート付き下着用パンツであって、請求項１〜３のいずれかひとつに記載のトイレットペーパー装着用補助シートを備えていることを特徴とするトイレットペーパー装着用補助シート付き下着用パンツ。